(57)【要約】【課題】地上あるいは地面の表層にて，配水管内の水圧と給水管内の水圧が視認できる圧力計を設けることで，減圧弁に対する正常動作を確認する作業の簡便性や安全性を高め，さらに電力を必要とする計測機器の設置が不要である水圧監視装置を提供する。【解決手段】減圧弁（３）における配水管側の上水流入部と給水管側の上水流出部とに，それぞれ配水管側の上水を流す管（４）と給水管側の上水を流す管（５）とを接続し，各々の管の先に地上にて視認できる圧力計（６ａ，６ｂ，７ａ，７ｂ）を設ける。【選択図】図１
2004353242.tif 000002
【特許請求の範囲】
【請求項１】
高圧の湯水を配送する配水管と上記配水管から分岐し低圧の湯水を配送する給水管との分岐点近傍の地下に設置され，上記配水管内の湯水の圧力を減圧して上記給水管に配送する減圧弁の流入部および／または流出部の水圧を検出する水圧監視装置において，
上記減圧弁の上記流入部に一端が接続され，他端が地上において視認することのできる高圧側圧力計に接続された第１の管および上記高圧側圧力計と，
上記減圧弁の上記流出部に一端が接続され，他端が地上において視認することのできる低圧側圧力計に接続された第２の管および上記低圧側圧力計との両方またはいずれか一方を具備してなることを特徴とする水圧監視装置。
【発明の詳細な説明】
【０００１】
【発明の属する技術分野】
本発明は，高圧な湯水を配送する配水管と上記配水管から分岐し低圧な湯水を配送する給水管との分岐点近傍の地下に設置された減圧弁の流入部及び／若しくは流出部の圧力を監視する水圧監視装置に関して，特に簡単な構成で，上記配水管内の湯水の水圧と上記給水管内の湯水の水圧とを地上にて視認できるようにした監視装置に関するものである。
【０００２】
【従来の技術】
河川等の水源から汲み上げられた水は，浄水場にて浄化されることで，飲料水等に使用される上水となる。この上水は，浄水場から配水管という太い水道管を通り，配水管から分岐している給水管という細い水道管を経て，家屋や工場等に配送されている。また，浄水場あるいは上水を貯水する貯水池から離れた場所に上水を配送する際には，配水管内の上水の水圧を上げることで，その水圧を利用して配水をしている。配水管内の上水の水圧を上げる方法としては，ポンプを使用して上水に加圧を行うポンプ加圧方法や，貯水池と地上との高低差を利用して上水に加圧を行う自然流下方法等が挙げられる。
【０００３】
ここで，配水管から給水管を経て上水が家屋等に配送される際，家庭などで使いやすい適当な水圧に減圧しなければならない。そのために，例えば配水管と給水管との分岐点近傍に上水の圧力を減圧する減圧弁を設置することにより，配水管から流れてくる上水の水圧を減圧して給水管へ配送している。また，減圧弁は，水圧を減圧するだけでなく，給水管から配水管への上水の逆流防止も設置目的の一つとされている。
【０００４】
上述した減圧弁において，特に地下に埋設された減圧弁が正常に作動しているか否か（以下，正常作動確認という）の確認については，減圧弁に流入する配水管内の上水の水圧，および減圧弁から流出する給水管内の上水の水圧を計測した結果に基づいて判断されている。従来，減圧弁の正常動作確認を行う主な方法には２種類あり，一方は，減圧弁が格納されているマンホールの蓋を開けて，減圧弁に備えられた配水管側の水圧計と給水管側の水圧計とを作業員が直接視認する方法である。また他方は，非特許文献１に示されるように，圧力センサーにて両水圧を圧電素子（力を電圧に変換する素子）等でひずみとして検知し，そのひずみにより発生する電気抵抗の変化を電気信号に変換し，マンホールの蓋に設置された発信センサーから作業員が持つ受信器へと電気信号が発信され，受信機にて電気信号を数値で表示することにより，配水管側の水圧と給水管側の水圧とが確認される方法である。
【０００５】
【非特許文献１】
水道産業新聞  １９９５年（平成７年）１１月２０日  第４面
【０００６】
【発明が解決しようとする課題】
しかしながら，例えば減圧弁が地中深くに埋設されていると，水圧計を作業員が直接視認することで減圧弁の正常作動確認が行われる場合，作業が煩雑になる上に，減圧弁の埋設場所によっては交通規制等を行う必要性が発生する。さらに，作業員がマンホール内で作業を行っている最中にマンホールが落下する等の事故が発生する危険性もある。
また，上記非特許文献１のような計測機器を用いて水圧の測定を行う場合，圧力センサー等の計測機器は湿気に弱いため，湿度の高いマンホール内に計測機器を設置することで計測機器の損傷あるいは腐食が発生する可能性高い。その結果，計測機器自体の寿命が短くなるので有効な方法と言えるものではなかった。
従って，本発明は上記事情に鑑みてなされたものであり，その目的とするところは，減圧弁における配水管側の上水流入部と給水管側の上水流出部とに，それぞれ配水管側の上水を流す管と給水管側の上水を流す管とを接続し，各々の管の先に地上にて視認できる圧力計を設けることで，減圧弁に対する正常動作確認の作業の簡便性や安全性を高め，さらに電力を必要とする計測機器の設置が不要な水圧監視装置を提供することにある。
【０００７】
【課題を解決するための手段】
上記目的を達成するために本発明は，高圧の湯水を配送する配水管と上記配水管から分岐し低圧の湯水を配送する給水管との分岐点近傍の地下に設置され，上記配水管内の湯水の圧力を減圧して上記給水管に配送する減圧弁の流入部および／または流出部の水圧を検出する水圧監視装置において，上記減圧弁の上記流入部に一端が接続され，他端が地上において視認することのできる高圧側圧力計に接続された第１の管および上記高圧側圧力計と，上記減圧弁の上記流出部に一端が接続され，他端が地上において視認することのできる低圧側圧力計に接続された第２の管および上記低圧側圧力計との両方またはいずれか一方を具備してなることを特徴とする水圧監視装置から構成される。
これにより，減圧弁における配水管側の上水流入部と給水管側の上水流出部とにそれぞれ配水管側の上水を流す管と給水管側の上水を流す管とを接続し，各々の管の先に地上にて視認できる圧力計を設けることで，減圧弁に対する正常動作確認の作業の簡便性や安全性を高め，さらに電力を必要とする計測機器の設置が不要となる。
【０００８】
【発明の実施の形態】
以下添付図面を参照しながら，本発明の実施の形態について説明し，本発明の理解に供する。尚，以下の実施の形態は，本発明を具体化した一例であって本発明の技術的範囲を限定するものではない。
ここに，図１は本発明の一実施形態（以下，実施形態例）に係る水圧監視装置Ｘの概略図である。上記水圧監視装置Ｘは高圧の上水が流れる配水管１と低圧の上水が流れる給水管２との分岐点近傍に設置された減圧弁３へ，上記配水管１からの上水が流入してくる流入部付近より分岐している配水管側の水圧計測用の管４と，上記減圧弁３から上記給水管２へ上水が流出する流出部付近より分岐している給水管側の水圧計測用の管５と，水圧を計測するスタンド型水圧計６とより構成されている。
上記の管４及び管５は，いずれも地下に配管され，交通の邪魔にはならない。
【０００９】
上記配水管１内の上水の水圧については，上記配水管１側の水圧計測用の管４を流れる上水の直水圧が上記スタンド型水圧計６にて計測され，その結果が該スタンド型水圧計６に表示されることで作業員による視認が可能となっている。また，上記給水管２内の上水の水圧については，上記給水管側の水圧計測用の管５を流れる上水の直水圧が上記スタンド型水圧計６にて計測され，その結果が該スタンド型水圧計６に表示されることで作業員による視認が可能となっている。ここで上記スタンド型水圧計６の施工が不可能な際には，上記スタンド型水圧計６の代わりに地面の表層に設ける埋設型水圧計７を設置してもよい。さらに上記スタンド型水圧計６（あるいは上記埋設型水圧計７）においては，上記配水管内の上水の水圧と上記給水管内の上水の水圧との差を示す値を表示するものを採用することも可能である。
尚，本発明においては，上記スタンド型水圧計６（あるいは上記埋設型水圧計７）に接続され，上記配水管１内の上水の水圧測定器を高圧側圧力計６ａ（或いは７ａ）とし，上記給水管２内の上水の水圧測定器を低圧側圧力計６ｂ（或いは７ｂ）とし、それぞれスタンド型水圧計６或いは埋設型水圧計７に設けられている。
【００１０】
上記のように，上記水圧監視装置Ｘは，上記配水管１内の上水の水圧，および上記給水管２内の上水の水圧が，それぞれ上記配水管側の水圧計測用の管４内を流れる上水の直水圧，および上記給水管側の水圧計測用の管５内を流れる上水の直水圧を用いて計測され，上記スタンド型水圧計６（あるいは上記埋設型水圧計７）に表示される計測結果値を作業者が視認することで，上記減圧弁３に対する正常動作確認が行える仕組みになっている。このことから，例えば減圧弁が地中深くに埋設されている場合での減圧弁に対する正常動作確認の作業では，作業員がマンホールを開けて水圧計の視認を行う煩雑な作業が不要となり，またマンホール落下事故等が発生する危険性もない。さらに，上記水圧監視装置Ｘは電力が不要であるため，圧力センサー等の高価な計測機器の設置が必要ないことから，コスト的にも有利であり，煩雑なメンテナンスも必要ない。また，上記水圧監視装置Ｘは，既設の減圧弁に対して取付けが可能なことから，上記水圧監視装置Ｘを減圧弁に取付ける工事が小規模なもので済むメリットも有している。
尚，上記水圧監視装置Ｘについては，その使用が湯水のみにととまらず，流体物であれば使用可能である。
【００１１】
【発明の効果】
以上説明したように，本発明によれば，減圧弁における配水管側の上水流入部と給水管側の上水流出部とに，それぞれ配水管側の上水を流す管と給水管側の上水を流す管とを接続し，各々の管の先に地上にて視認できる圧力計を設けることで，減圧弁に対する正常動作確認の作業の簡便性や安全性を高め，さらに電力を必要とする計測機器の設置が不要になるという効果を奏する。
【図面の簡単な説明】
【図１】本発明の一実施形態（以下，実施形態例）に係る水圧監視装置Ｘの概略図。
【符号の説明】
１…配水管
２…給水管
３…減圧弁
４…配水管側の水圧計測用の管
５…給水管側の水圧計測用の管
６ａ，６ｂ…スタンド型水圧計
７ａ，７ｂ…埋設型水圧計
【図１】
2004353242.tif 000003